(57)【特許請求の範囲】
【請求項１】
画像データを記憶する手段、無線通信により前記画像データ又は各種情報を送受信する第１通信手段を備える一又は複数の通信装置と、該通信装置と無線通信により情報を送受信する第２通信手段を備え、前記通信装置から受信した画像データ又は前記通信装置へ送信する画像データに対する所定の画像処理を行なう画像処理装置とを含む画像処理システムにおいて、
前記一又は複数の通信装置は、前記画像処理装置へ自装置の識別情報を含む画像処理要求を前記第１通信手段により送信し、
前記画像処理装置は、
画像処理要求を受信した場合、前記一又は複数の通信装置とデータ送受信のための通信接続を確立する接続手段と、
前記画像処理装置を専有させるための専有識別情報を出力する出力手段と
を備え、
前記一又は複数の通信装置は、
前記専有識別情報を取得する手段を更に備え、
該手段が取得した前記専有識別情報及び自装置の識別情報を前記第１通信手段により送信し、
前記画像処理装置は、
前記専有識別情報及び通信装置の識別情報を共に前記第２通信手段により受信し、
前記専有識別情報を受信した順序に基づき、専有させる一の通信装置を特定する特定手段と、
該特定手段が特定した前記一の通信装置からの画像処理要求に対する画像処理の実行を開始する実行手段と、
該実行手段による処理が完了するまで、前記特定手段が特定した前記一の通信装置以外の他の通信装置からの画像処理要求に対する処理を保留する保留手段と
を更に備えることを特徴とする画像処理システム。
【請求項２】
前記画像処理装置は、
前記保留手段が保留した前記他の通信装置へ、保留を示す情報を前記第２通信手段により送信すること
を特徴とする請求項１に記載の画像処理システム。
【請求項３】
前記画像処理装置は、
料金を受領する料金受領装置と接続する手段と、
前記画像処理に係る料金の情報を出力する手段と、
前記料金受領装置が前記料金を受領したか否かを判断する判断手段と、
前記料金の情報を出力した後の所定の第１時間内に、前記判断手段が、料金を受領したと判断したか否かを判断する手段と、
該手段が否と判断した場合、警告を出力する警告出力手段と
を備えることを特徴とする請求項１又は２に記載の画像処理システム。
【請求項４】
前記画像処理装置は、
前記警告出力手段が警告を出力後の所定の第２時間内に、前記判断手段が、料金を受領したと判断したか否かを判断する手段と、
該手段が否と判断した場合、前記一の通信装置からの画像処理要求に対する画像処理、及び該画像処理に対する課金処理を破棄する手段と、
前記他の通信装置からの画像処理要求に対する処理の保留を解除する手段と
を更に備えることを特徴とする請求項３に記載の画像処理システム。
【請求項５】
前記画像処理装置は、
前記一の通信装置からの画像処理要求に対する画像処理、及び該画像処理に対する課金処理の実行を完了した場合、前記他の通信装置からの画像処理要求に対する処理の保留を解除する手段を備え、
前記他の通信装置へ、解除を示す情報を前記第２通信手段により送信する
ことを特徴とする請求項１から４のいずれか１つに記載の画像処理システム。
【請求項６】
前記一又は複数の通信装置は、
記憶してある画像データの内、前記画像処理装置へ送信する一又は複数の画像データの指定を受け付ける手段と、
前記通信接続の確立を検知する検知手段と
を更に備え、
該検知手段が検知した場合に、指定された前記一又は複数の画像データを前記第１通信手段により前記画像処理装置へ送信する
ことを特徴とする請求項１から５のいずれか１つに記載の画像処理システム。
【請求項７】
画像データを記憶する手段、及び、無線通信により前記画像データ又は各種情報を送受信する第１通信手段を備える一又は複数の通信装置と、該通信装置と無線通信により情報を送受信する第２通信手段、及び、送受信する情報に基づく画像処理を行なう画像処理手段を備える画像処理装置とを含む画像処理システムにて、前記画像処理装置が、前記通信装置から受信した画像データ又は前記通信装置へ送信する画像データに対する所定の画像処理を行なう画像処理方法において、
前記一又は複数の通信装置は、前記画像処理装置へ自装置の識別情報を含む画像処理要求を前記第１通信手段により送信し、
前記画像処理装置は、
前記画像処理要求を受信した場合、前記一又は複数の通信装置とデータ送受信のための通信接続を確立し、
前記画像処理装置を専有させる専有識別情報を出力し、
前記一又は複数の通信装置は、
前記専有識別情報を取得し、
取得した前記専有識別情報及び前記通信装置の識別情報を前記第１通信手段により送信し、
前記画像処理装置は、
出力した専有識別情報及び通信装置の識別情報を共に前記第２通信手段により受信し、
前記専有識別情報を受信した順序に基づき、専有させる一の通信装置を特定し、
特定した前記一の通信装置からの画像処理要求に対する画像処理の実行を開始し、
開始された処理が完了するまで、特定した前記一の通信装置以外の他の通信装置からの画像処理要求に対する処理を保留する
ことを特徴とする画像処理方法。
【請求項８】
前記画像処理装置は更に、
前記一の通信装置からの画像処理要求に対する画像処理、及び該画像処理に対する課金処理の実行を完了した場合、前記他の通信装置からの画像処理要求に対する処理の保留を解除し、
前記他の通信装置へ、解除を示す情報を前記第２通信手段により送信する
ことを特徴とする請求項７に記載の画像処理方法。
【請求項９】
前記一又は複数の通信装置は更に、
記憶してある画像データの内、前記画像処理装置へ送信する一又は複数の画像データの指定を受け付け、
前記通信接続の確立を検知し、
前記通信接続の確立が検知された場合に、指定された前記一又は複数の画像データを前記第１通信手段により前記画像処理装置へ送信する
ことを特徴とする請求項７又は８に記載の画像処理方法。
【発明の詳細な説明】
【技術分野】
【０００１】
本発明は、ユーザが携帯する通信装置と画像データを送受信し、該画像データに関する画像処理を行なう画像処理装置とを含む画像処理システムに関する。特に、複数の不特定の通信装置との接続を考慮し、各通信装置と、画像処理及び該画像処理に対する課金処理との対応付けの誤りを防止することが可能な画像処理システム及び画像処理方法に関する。
【背景技術】
【０００２】
所謂スマートフォンと呼ばれる可搬型の通信装置が広く普及している。この手の通信装置は、カメラ、ゲーム、及びメディアプレーヤーなどの機能に加え、種々のアプリケーションを追加して多様な機能を持たせることができるなど利便性が高い。これに対し、昨今では、複合機などの印刷出力装置を不特定のユーザが利用できるように公共の場に設置し、カメラ機能を有する通信装置で撮影した画像を印刷出力するサービスがある。このようなサービスでは、通信装置に記憶されている画像データをどのようにして印刷出力装置へ送信するかが問題であった。
【０００３】
送信の方法として、既存のサービスでは大抵３つの方法が用いられている。１つ目は、通信装置に記憶されている画像データを当該通信装置に着脱可能な記憶媒体に記憶し、画像データが記憶された記憶媒体を印刷出力装置に読み込ませる方法である。２つ目は、通信装置と印刷出力装置とを有線接続して直接的に通信できるようにし、通信装置から画像データを印刷出力装置へ送信する方法である。３つ目は、印刷出力装置が赤外線通信を行なう通信部を備え、通信装置から印刷出力装置へ画像データを赤外線通信により送信する方法である。
【０００４】
１つ目の方法では、ユーザにとって記憶媒体の着脱、記憶媒体へ画像データの複製の操作は煩雑と言える。２つ目の方法でも、有線ケーブルの着脱操作が煩雑である。３つ目の方法では、赤外線通信による画像データの送信中に、ユーザは赤外線通信範囲内に通信端末装置を保持し続ける必要がある。赤外線通信による通信速度は無線ＬＡＮ通信、有線ＬＡＮ通信等と比較して遅い上、通信装置が記憶している画像データは高品質化しておりデータ量が多いので、ユーザは長い間、狭い有効範囲内に通信装置を保持しなければならない。
【０００５】
そこで、携帯電話機などの通信装置から無線通信により、印刷出力装置へ直接的に画像データを送信して印刷出力することが可能なシステムが実現されている。
【０００６】
例えば特許文献１には、電子カメラ（携帯端末）及び店頭に設置された店頭端末に無線通信を実現する構成部を備え、電子カメラが、店頭端末と無線通信が可能な範囲に入った場合に、電子カメラの情報処理手段が、指定された画像データ及びプリント注文ファイルを店頭端末へ送信し、店頭端末は、送信された画像データ及びプリント注文ファイルに基づき、プリントエンジンによって印刷出力するサービスが開示されている。
【０００７】
特許文献２には、ネットワークに接続されている複合機が、携帯端末からの実行開始要求を取得し、取得した要求に応じて印刷ジョブを実行するシステムが開示されている。また、特許文献２には、実行開始要求を取得した場合に、印刷が実行可能な状態であるか否かを判別し、実行可能状態であるときには排他実行権限を設定し、排他実行権限の設定後に他の端末装置から取得された実行開始要求をブロックする構成が開示されている。
【先行技術文献】
【特許文献】
【０００８】
【特許文献１】特開２００２−１８５８９５号公報
【特許文献１】特開２００９−０８６９７６号公報
【発明の概要】
【発明が解決しようとする課題】
【０００９】
印刷出力装置を公共の場に設置し、通信装置から画像データを無線通信により印刷出力装置へ送信して印刷出力するサービスでは、不特定の通信装置が任意のタイミングで印刷出力装置へ印刷指示を送信することが可能となる。したがって、同時的に複数の通信装置から印刷指示を受信する場合があり、印刷結果の取り違いが発生する可能性がある。更に、公共の場での印刷出力サービスでは、課金処理が必要となる。料金を投入したユーザと、該ユーザが所持する通信装置からの印刷指示との対応付けをどのようにするかが問題となる。
【００１０】
特許文献１には、店頭端末は利用料金の挿入を受け付ける挿入口を備え、印刷処理を行なってから利用料金を請求することが記載されている。また、複数の携帯端末との無線通信が可能な状態であるときに、ユーザの携帯端末を特定するために、携帯端末固有のＩＤを店頭端末で受け付け、当該ＩＤを持つ携帯端末のみと情報を送受信することが記載されている。しかしながら、複数の携帯端末から同時的に送信された画像データを受信した場合の処理については記載がなく、利用料金についても結果物に対して料金を請求すると記載されているのみである。
【００１１】
特許文献２には、取り違いを防止すべく、排他実行権限を設定することで他の端末装置からの要求を排他制御する構成が開示されているが、社内ネットワークなどで用いるシステムを想定しているため、課金処理との対応付けについて考慮されていない。
【００１２】
なお、公共の場に設置された複合機を用いたサービスでは、画像処理の内容は印刷処理に限らない。原稿を複合機１で読み取って画像データを携帯端末にて受信するために、ユーザが料金を支払う場合も同様に、読み取りによって生成された画像データの誤送信の防止、課金処理との対応付けが必要となる。
【００１３】
本発明は斯かる事情に鑑みてなされたものであり、不特定の通信装置からの印刷指示等の画像処理要求を同時的に受信する場合を考慮し、通信装置における操作性を良好にすると共に、各通信装置と、画像処理及び該画像処理に対する課金処理との対応付けの誤りを防止することが可能な情報処理システム、該情報処理システムを構成する情報処理装置、及び通信装置と情報処理装置との間の通信接続方法を提供することを目的とする。
【課題を解決するための手段】
【００１４】
本発明に係る画像処理システムは、画像データを記憶する手段、無線通信により前記画像データ又は各種情報を送受信する第１通信手段を備える一又は複数の通信装置と、該通信装置と無線通信により情報を送受信する第２通信手段を備え、前記通信装置から受信した画像データ又は前記通信装置へ送信する画像データに対する所定の画像処理を行なう画像処理装置とを含む画像処理システムにおいて、前記一又は複数の通信装置は、前記画像処理装置へ自装置の識別情報を含む画像処理要求を前記第１通信手段により送信し、前記画像処理装置は、画像処理要求を受信した場合、前記一又は複数の通信装置とデータ送受信のための通信接続を確立する接続手段と、前記画像処理装置を専有させるための専有識別情報を出力する出力手段とを備え、前記一又は複数の通信装置は、前記専有識別情報を取得する手段を更に備え、該手段が取得した前記専有識別情報及び自装置の識別情報を前記第１通信手段により送信し、前記画像処理装置は、前記専有識別情報及び通信装置の識別情報を共に前記第２通信手段により受信し、前記専有識別情報を受信した順序に基づき、専有させる一の通信装置を特定する特定手段と、該特定手段が特定した前記一の通信装置からの画像処理要求に対する画像処理の実行を開始する実行手段と、該実行手段による処理が完了するまで、前記特定手段が特定した前記一の通信装置以外の他の通信装置からの画像処理要求に対する処理を保留する保留手段とを更に備えることを特徴とする。
【００１５】
本発明に係る画像処理システムは、前記画像処理装置は、前記保留手段が保留した前記他の通信装置へ、保留を示す情報を前記第２通信手段により送信することを特徴とする。
【００１６】
本発明に係る画像処理システムは、前記画像処理装置は、料金を受領する料金受領装置と接続する手段と、前記画像処理に係る料金の情報を出力する手段と、前記料金受領装置が前記料金を受領したか否かを判断する判断手段と、前記料金の情報を出力した後の所定の第１時間内に、前記判断手段が、料金を受領したと判断したか否かを判断する手段と、該手段が否と判断した場合、警告を出力する警告出力手段とを備えることを特徴とする。
【００１７】
本発明に係る画像処理システムは、前記画像処理装置は、前記警告出力手段が警告を出力後の所定の第２時間内に、前記判断手段が、料金を受領したと判断したか否かを判断する手段と、該手段が否と判断した場合、前記一の通信装置からの画像処理要求に対する画像処理、及び該画像処理に対する課金処理を破棄する手段と、前記他の通信装置からの画像処理要求に対する処理の保留を解除する手段とを更に備えることを特徴とする。
【００１８】
本発明に係る画像処理システムは、前記画像処理装置は、前記一の通信装置からの画像処理要求に対する画像処理、及び該画像処理に対する課金処理の実行を完了した場合、前記他の通信装置からの画像処理要求に対する処理の保留を解除する手段を備え、前記他の通信装置へ、解除を示す情報を前記第２通信手段により送信することを特徴とする。
【００１９】
本発明に係る画像処理システムは、前記一又は複数の通信装置は、記憶してある画像データの内、前記画像処理装置へ送信する一又は複数の画像データの指定を受け付ける手段と、前記通信接続の確立を検知する検知手段とを更に備え、該検知手段が検知した場合に、指定された前記一又は複数の画像データを前記第１通信手段により前記画像処理装置へ送信することを特徴とする。
【００２０】
本発明に係る画像処理方法は、画像データを記憶する手段、及び、無線通信により前記画像データ又は各種情報を送受信する第１通信手段を備える一又は複数の通信装置と、該通信装置と無線通信により情報を送受信する第２通信手段、及び、送受信する情報に基づく画像処理を行なう画像処理手段を備える画像処理装置とを含む画像処理システムにて、前記画像処理装置が、前記通信装置から受信した画像データ又は前記通信装置へ送信する画像データに対する所定の画像処理を行なう画像処理方法において、前記一又は複数の通信装置は、前記画像処理装置へ自装置の識別情報を含む画像処理要求を前記第１通信手段により送信し、前記画像処理装置は、前記画像処理要求を受信した場合、前記一又は複数の通信装置とデータ送受信のための通信接続を確立し、前記画像処理装置を専有させる専有識別情報を出力し、前記一又は複数の通信装置は、前記専有識別情報を取得し、取得した前記専有識別情報及び前記通信装置の識別情報を前記第１通信手段により送信し、前記画像処理装置は、出力した専有識別情報及び通信装置の識別情報を共に前記第２通信手段により受信し、前記専有識別情報を受信した順序に基づき、専有させる一の通信装置を特定し、特定した前記一の通信装置からの画像処理要求に対する画像処理の実行を開始し、開始された処理が完了するまで、特定した前記一の通信装置以外の他の通信装置からの画像処理要求に対する処理を保留することを特徴とする。
また本発明に係る画像処理方法は、前記画像処理装置は更に、前記一の通信装置からの画像処理要求に対する画像処理、及び該画像処理に対する課金処理の実行を完了した場合、前記他の通信装置からの画像処理要求に対する処理の保留を解除し、前記他の通信装置へ、解除を示す情報を前記第２通信手段により送信することを特徴とする。
また本発明に係る画像処理方法は、前記一又は複数の通信装置は更に、記憶してある画像データの内、前記画像処理装置へ送信する一又は複数の画像データの指定を受け付け、
前記通信接続の確立を検知し、前記通信接続の確立が検知された場合に、指定された前記一又は複数の画像データを前記第１通信手段により前記画像処理装置へ送信することを特徴とする。
【００２１】
本発明では、通信装置と画像処理装置とが情報を送受信し、画像処理装置が画像処理を実行するに際し、画像処理装置は、画像処理装置自身が出力した専有識別情報を送信してきた通信装置からの画像処理要求に基づく画像処理を専有して実行する。そして、画像処理装置は、他の通信装置からの画像処理要求に基づく画像処理については保留する。これにより、画像処理装置と複数の通信装置との間で通信接続が確立されても、専有識別情報を確認できる一の通信装置からの画像処理要求に基づく画像処理に限られる。
【００２２】
本発明では、画像処理の保留がされた通信装置へは保留情報が送信される。通信装置では保留中であることを確認することが可能となる。
【００２３】
本発明では、専有中の一の通信装置からの画像処理要求に基づく画像処理と、料金受領装置における料金との対応付けが明確となる。また、第１時間内に料金が受領されない場合に、警告が出力されるので、専有時間が不要に長期化することを抑制することが可能である。そして、保留中の他の通信装置からの画像処理を実行することが可能となる。
【００２４】
本発明では、専有中の一の通信装置からの画像処理要求に対する画像処理について警告出力後の第２時間内に料金が受領されない場合には、当該画像処理は破棄され、保留中の他の通信装置へ解除を示す情報が送信され、他の通信装置からの画像処理要求に係る画像処理の実行が可能となる。一の通信装置による専有時間が不要に長期化することを抑制することが可能である。
【００２５】
本発明では、専有中の一の通信装置からの画像処理要求に対する画像処理が完了した場合は、他の通信装置の保留が解除され、解除を示す情報が他の通信装置へ送信される。これにより、他の通信装置からの画像処理要求に対する画像処理が可能になることを認識することができる。
【００２６】
本発明では、通信装置は記憶してある画像データを指定する操作を受け付けるのみで、通信装置が夫々自動的に、通信接続且つ画像データの送受信を行なう。
【発明の効果】
【００２７】
本発明による場合、無線通信機能を有して通信装置からの画像処理要求に対して画像処理を行なうに際し、画像処理装置は、不特定の通信装置からの画像処理要求を同時的に受信する場合を考慮し、通信装置における操作性を良好にすると共に、各通信装置と、画像処理及び該画像処理に対する課金処理との対応付けの誤りを防止することが可能である。
【図面の簡単な説明】
【００２８】
【図１】実施の形態１のプリントサービスシステムの構成を模式的に示す模式図である。
【図２】実施の形態１における複合機の内部構成を示すブロック図である。
【図３】実施の形態１における携帯端末の内部構成を示すブロック図である。
【図４】実施の形態１における複合機にてプリントサービスを実行する際の処理手順の一例を示すフローチャートである。
【図５】実施の形態１における複合機にてプリントサービスを実行する際の処理手順の一例を示すフローチャートである。
【図６】実施の形態１の携帯端末における処理手順の一例を示すフローチャートである。
【図７】各携帯端末にて表示される画像データを選択する画面例を示す説明図である。
【図８】各携帯端末にて表示される専有識別コードの入力画面の例を示す説明図である。
【図９】実施の形態１における複合機の表示部に表示される専有識別コードの表示例を示す説明図である。
【図１０】携帯端末の表示部に表示される専有接続状態を示すメッセージ及び料金の表示例を示す説明図である。
【図１１】携帯端末の表示部に表示される保留されたことを示すメッセージの表示例を示す説明図である。
【図１２】実施の形態２における複合機にてプリントサービスを実行する際の処理手順の一例を示すフローチャートである。
【図１３】実施の形態２における複合機にてプリントサービスを実行する際の処理手順の一例を示すフローチャートである。
【図１４】実施の形態２における携帯端末での処理手順の一例を示すフローチャートである。
【発明を実施するための形態】
【００２９】
以下、本発明をその実施の形態を示す図面に基づき具体的に説明する。
なお、実施の形態１及び２では本発明を、画像データを無線通信により送信する機能を有し、ユーザが携帯所持する携帯端末（通信装置）、携帯端末から送信される画像データを受信して印刷出力する複合機（画像処理装置）とからなるプリントサービスシステムに適用した例を挙げて説明する。
【００３０】
（実施の形態１）
図１は、実施の形態１のプリントサービスシステムの構成を模式的に示す模式図である。プリントサービスシステムは、コンビニエンスストアなどの店舗、又は、図書館などの公共施設など、不特定のユーザが利用できる場所に設置された複合機１と、不特定のユーザが所持する携帯端末２とを含む。複合機１は、無線通信の有効エリア内に存在する携帯端末２と無線通信により接続することができる。複合機１は、料金受領装置３と有線接続されている。このようなシステムにより、ユーザは携帯端末２に記憶されてある画像データを無線通信により複合機１へ送信し、料金受領装置３にて料金を支払い、複合機１にて課金処理及び印刷出力を行なってプリントサービスを実現する。
【００３１】
本発明では、不特定の複数のユーザが夫々携帯端末２を携帯し、複合機１の無線通信の有効エリア内に進入し、プリントサービスを利用しようとするに際し、印刷結果の取り違い又は課金処理の誤りを防ぐものである。
【００３２】
図２は、実施の形態１における複合機１の内部構成を示すブロック図である。複合機（ＭＦＰ：Multi Function Peripheral ）１は、印刷出力機能（プリンタ）、読取機能（スキャナ）、ＦＡＸ機能等を備えて画像データに対する処理を行なう情報処理装置である。複合機１は、各構成部を制御する制御部１０と、各種情報を記憶する記憶部１１と、一時的な情報を記憶する一時記憶部１２と、ＬＣＤ（Liquid Crystal Display）を用いた表示部１３と、ハードウェアキー又はタッチパネル等を用いた操作部１４と、無線通信を実現する無線通信部１５と、有線通信を実現する有線通信部１６と、印刷出力機能を実現する画像形成部１７とを備える。また、複合機１は、印刷出力結果が排出される排紙トレイ１８を備える。複合機１は、そのほかに、読取機能を実現するための画像読取部、及び電話網を介してＦＡＸ通信を行なうためのＦＡＸ通信部等、多数の機能を実現するための構成部を有するが、ここでは図示及び詳細な説明を省略する。
【００３３】
制御部１０は、ＣＰＵ（Central Processing Unit ）を用い、記憶部１１に記憶されている制御プログラムに基づき、各構成部を制御する。
【００３４】
記憶部１１は、ＨＤＤ（Hard Disk Drive）又はＳＳＤ（Solid State Drive）を用いる。記憶部１１には、複合機１のＳＳＩＤ（Service Set Identifier）が記憶されており、制御部１０から読み出し可能である。記憶部１１は、通信装置２から受信する画像データを記憶してもよい。
【００３５】
一時記憶部１２は、ＤＲＡＭ（Dynamic Random Access Memory）又はＳＲＡＭ（Static Random Access Memory）等の揮発性メモリを用いる。一時記憶部１２は、制御部１０の処理によって発生した情報を一時的に記憶する。一時記憶部１２は、通信装置２から受信する各種情報を一時的に記憶する。
【００３６】
表示部１３は、ＬＣＤを用いる。操作部１４は、ＬＣＤ上に設けられたタッチパネル及び表示部１３に隣接して設けられたハードウェアキーを用いる。表示部１３が各種アイコン又はボタンを表示しているときに、ユーザが触れたタッチパネル上の位置、又はユーザが押下したハードウェアキーを操作部１４が検知する。操作部１４は、ユーザが触れた位置情報、又は押下されたハードウェアキーを特定する情報を制御部１０へ通知する。
【００３７】
無線通信部１５は、無線通信アンテナと、該アンテナにより受信した信号及び送信する信号を処理する信号処理部とを含んで構成される。無線通信部１５は、携帯端末２との無線通信機能を実現する。無線通信部１５は、アクセスポイントの機能、即ち無線ＬＡＮにおける親機の機能を有する。なお、無線通信部１５はアクセスポイントの機能を有さずともよい。その場合、無線通信部１５は、施設内に配備された局所的なネットワークのアクセスポイントを経由して通信装置と接続する。
【００３８】
有線通信部１６は、通信線の接続部と該接続部により受信した信号及び送信する信号を処理する処理部とを含んで構成される。有線通信部１６は、料金受領装置３との情報の送受信を実現する。なお料金受領装置３との通信も無線であっても構わない。
【００３９】
画像形成部１７は、プリンタユニットを用いる。プリンタユニットは、複合機１の本体内部に、スキャナユニットの下側に配置される。画像形成部１７は、制御部１０から与えられた画像データに基づいてトナー像を生成する画像処理部と、トナー像を用紙上に転写する印字エンジンとを含んで構成され、所定の媒体に画像を印刷出力する。画像形成部１７は、印刷出力済みの所定の媒体を排紙トレイ１８へ排出するようにしてある。
【００４０】
排紙トレイ１８は、排出された所定の媒体が排紙トレイ上に存在するか否かのセンサを備えている。該センサの出力は制御部１０へ接続され、制御部１０は、排紙トレイ１８の印刷出力結果が回収されたか否かを検知することができる。
【００４１】
図３は、実施の形態１における携帯端末２の内部構成を示すブロック図である。携帯端末２は、所謂スマートフォンと呼ばれる携帯電話機である。携帯端末２は、タブレット型ＰＣ（パーソナルコンピュータ）であってもよい。携帯端末２は、各構成部を制御する制御部２０と、各種情報を記憶する記憶部２１と、一時的な情報を記憶する一時記憶部２２と、ＬＣＤを用いた表示部２３と、各種キー及びタッチパネルを用いた操作部２４と、無線通信を実現する通信部２５とを備える。携帯端末２は、そのほかに、音声通話を実現するマイクロフォン、スピーカ、及び音声入出力処理部、並びに、カメラ機能を実現するための撮像部及び画像処理部を有するが、ここでは図示及び詳細な説明を省略する。
【００４２】
制御部２０は、ＣＰＵを用い、記憶部２１に記憶されている制御プログラムに基づき各構成部を制御する。制御部２０は、記憶部２１に記憶されている各種アプリケーションプログラム（以下、アプリという）に基づき、多様な機能を発揮する。
【００４３】
記憶部２１は、フラッシュメモリを用いる。記憶部２１には、上述した制御プログラムと、画像データの印刷出力を複合機１等のプリントサービスにおける複合機１にて行なうために用いられるプリントアプリが記憶されている。また記憶部２１には、該携帯端末２の固有の識別情報を記憶しており、制御部２０から読み出すことが可能である。一時記憶部２２は、ＲＡＭを用いて制御部２０の処理によって発生した一時的な情報を記憶する。
【００４４】
表示部２３は、ＬＣＤを用いる。操作部２４は、ＬＣＤ上に設けられたタッチパネル又は各種キーを用いる。表示部２３が各種アイコン又はボタンを表示しているときに、ユーザが触れたタッチパネル上の位置、又はユーザが押下した各種キーを操作部２４が検知する。操作部２４は、ユーザが触れた位置情報又は押下された各種キーを特定する情報を制御部２０へ通知する。
【００４５】
通信部２５は、無線通信アンテナと、該アンテナにより受信した信号及び送信する信号を処理する信号処理部とを含んで構成される。通信部２５は、複合機１との無線通信機能を実現する。
【００４６】
料金受領装置３は所謂コインベンダであり、硬貨投入口３１と返却口３２とを設けた筐体３０を備える。筐体３０には、投入済み料金を表示するための情報表示灯が備えられていてもよい。筐体３０内部には、ＣＰＵを含む制御部と、硬貨識別機とが備えられている（いずれも図示せず）。料金受領装置３の制御部は、硬貨投入口３１にて投入された硬貨を硬貨識別機により判別し、合計額を算出して複合機１へ送信する。また、料金受領装置３の制御部は、複合機１から送信された返却金額分の硬貨を、返却口３２から排出する。なお料金受領装置３はコインベンダのみならず、電子マネーの処理機器であってもよい。
【００４７】
上述したように構成される画像処理システムにて、携帯端末２から複合機１へ接続し、画像データを送信して複合機１にて印刷出力する場合の手順について、フローチャート及び操作画面例を参照しつつ説明する。
【００４８】
図４及び図５は、実施の形態１における複合機１にてプリントサービスを実行する際の処理手順の一例を示すフローチャートである。以下に示す処理手順は、後述する図７のフローチャートに示す携帯端末２における処理手順と対応する。複合機１では、制御部１０が表示部１３に初期画面を表示した状態で以下の処理を実行する。なお、以下の処理手順は複数の携帯端末２夫々に対応して実行され、且つ同時的に実行可能な処理とする。
【００４９】
制御部１０は、複合機１のＳＳＩＤの情報を含む電波を無線通信部１５から発信させ（ステップＳ１０１）、無線通信部１５にて携帯端末２からの接続要求を受信したか否かを判断する（ステップＳ１０２）。制御部１０は、接続要求を受信していないと判断した場合（Ｓ１０２：ＮＯ）、処理をステップＳ１０２へ戻し、電波を発信させたまま接続要求を受信するまで待機する。
【００５０】
制御部１０は、接続要求を受信したと判断した場合（Ｓ１０２：ＹＥＳ）、携帯端末２とのデータ送受信のための無線通信接続を確立する（ステップＳ１０３）。ステップＳ１０３において具体的には、制御部１０は、携帯端末２のネットワーク識別情報を発行し、携帯端末２へ送信する。他の携帯端末２との無線通信接続が確立されていても、ステップＳ１０３による通信接続の確立は実行される。
【００５１】
次に制御部１０は、ステップＳ１０３で接続を確立させた携帯端末２から画像データ及び該携帯端末２の識別情報を含む印刷指示を受信する（ステップＳ１０４）。
【００５２】
制御部１０は、複合機１が他の携帯端末２に専有されているか否かを判断する（ステップＳ１０５）。具体的には、制御部１０は以下に示すように携帯端末２の識別情報に対応付けて、専有接続状態を示す情報を記憶部１１又は一時記憶部１２に記憶しておき、制御部１０は、いずれかの携帯端末２が専有接続状態であるか否かを判別することが可能である。
【００５３】
制御部１０は、複合機１が他の携帯端末２に専有されていないと判断した場合（Ｓ１０５：ＮＯ）、保留中であったか否かを判断する（ステップＳ１０６）。具体的には、制御部１０は、後述にて説明する保留情報を送信済みであるか否かを判断し、送信済みで有ると判断した場合、保留中であると判断する。
【００５４】
制御部１０は、保留中でないと判断した場合（Ｓ１０６：ＮＯ）、複合機１を専有させる携帯端末２を識別するための専有識別コードを発行し（ステップＳ１０７）、発行した専有識別コードを表示部１３に表示させる（ステップＳ１０８）。
【００５５】
制御部１０は、ステップＳ１０７で発行した専有識別コードを、携帯端末２の識別情報と共に受信したか否かを判断する（ステップＳ１０９）。制御部１０は、一定期間待っても専有識別コードを受信しないと判断した場合（Ｓ１０９：ＮＯ）、処理をステップＳ１０５へ戻し、複合機１は他により専有されたか否かを判断し（Ｓ１０５）、専有されている場合には（Ｓ１０５：ＹＥＳ）、後述のステップＳ１２０の処理を実行する。
【００５６】
制御部１０は、ステップＳ１０９にて専有識別コードを受信したと判断した場合（Ｓ１０９：ＹＥＳ）、受信した専有識別コードは、発行してから最初に受信した専有識別コードであるか否かを判断する（ステップＳ１１０）。制御部１０は、最初に受信した専有識別コードであると判断した場合（Ｓ１１０：ＹＥＳ）、携帯端末２を専有接続状態に設定し（ステップＳ１１１）、携帯端末２へ専有接続状態であることを示す状態情報を送信する（ステップＳ１１２）。なおステップＳ１１１にて制御部１０は、当該専有識別コードと共に受信した携帯端末２の識別情報に対応付けて、専有接続状態を示す情報を記憶部１１又は一時記憶部１２に記憶することにより、専有接続状態を設定する。
【００５７】
制御部１０は、ステップＳ１０４にて受信してある画像データに基づく印刷出力に掛かる料金を算出し（ステップＳ１１３）、算出した料金を示す料金情報を携帯端末２へ送信する（ステップＳ１１４）。ステップＳ１１４にて制御部１０は、受信済みの画像データの名前、サムネイル等の情報を携帯端末２へ料金情報と共に送信してもよい。
【００５８】
制御部１０は、送信した料金情報が示す料金が支払われたか否かを判断する（ステップＳ１１５）。ステップＳ１１５にて具体的には、制御部１０は、料金受領装置３が料金を受領した場合に送信される受領金額の情報を受信し、算出した料金情報が示す料金と比較を行なって支払われたか否かを判断する。制御部１０は、ステップＳ１１５にて料金が未払いであると判断した場合（Ｓ１１５：ＮＯ）、処理をステップＳ１１５へ戻し、料金が支払われたと判断するまで待機する。
【００５９】
制御部１０は、ステップＳ１１５にて料金が支払われたと判断した場合（Ｓ１１５：ＹＥＳ）、ステップＳ１０４にて受信してある画像データに基づく印刷出力を実行する（ステップＳ１１６）。このとき制御部１０は、印刷出力の実行の通知を携帯端末２へ送信してもよい。なおステップＳ１１５にて料金が支払われたと判断した場合、つり銭が存在するときには、制御部１０は、つり銭の金額の情報を、有線通信部１６から料金受領装置３へ送信する。
【００６０】
なおステップＳ１１６における処理では、携帯端末２からの印刷指示には画質、カラー／モノクローム設定等の設定情報が含まれるようにしておき、制御部１０は、印刷指示に含まれる画像データを、印刷指示に含まれる設定情報に基づき画像形成部１７へ与えて印刷出力を行なわせてもよい。これにより、印刷設定を携帯端末２にて設定しておき、自動的にユーザの好みの印刷方法で出力することが可能となる。
【００６１】
制御部１０は、印刷出力が完了し、印刷結果がユーザにより排紙トレイ１８から回収されたか否かを判断する（ステップＳ１１７）。制御部１０はこのとき、印刷出力完了の通知を携帯端末２へ送信してもよい。制御部１０は、未回収であると判断した場合（Ｓ１１７：ＮＯ）、処理をステップＳ１１７へ戻し、回収されたと判断するまで待機する。
【００６２】
制御部１０は、ステップＳ１１７にて印刷結果が回収されたと判断した場合（Ｓ１１７：ＹＥＳ）、携帯端末２の専有接続状態を解除し（ステップＳ１１８）、データ送受信の通信接続を切断し（ステップＳ１１９）、処理を終了する。ステップＳ１１８にて具体的には、制御部１０は、記憶部１１又は一時記憶部１２に記憶していた携帯端末２の識別情報と専有接続状態を示す情報との対応を削除する。
【００６３】
制御部１０は、ステップＳ１０５にて他の携帯端末２に専有されていると判断した場合（Ｓ１０５：ＹＥＳ）、又は、発行してから最初に受信した専有識別コードでないと判断した場合（Ｓ１１０：ＮＯ）、複合機１が使用中であることを示す保留情報を携帯端末２へ送信し（ステップＳ１２０）、処理をステップＳ１０５へ戻す。
【００６４】
また、ステップＳ１０６にて保留中であったと判断した場合（Ｓ１０６：ＹＥＳ）、他の携帯端末２による専有が解除されたことを示す情報を送信し（ステップＳ１２１）、処理をステップＳ１０７へ進めて新たに専有識別コードを発行する処理へ進む（Ｓ１０７）。
【００６５】
次に、携帯端末２における処理について説明する。
図６は、実施の形態１の携帯端末２における処理手順の一例を示すフローチャートである。以下に示す処理手順は、上述の図４及び図５のフローチャートに示した複合機１における処理手順と対応する。ユーザの操作により制御部２０がプリントアプリを読み出して実行した場合に、携帯端末２の制御部２０は以下の処理を実行する。
【００６６】
制御部２０は、印刷対象の画像データの選択を操作部２４により受け付ける（ステップＳ２０１）。
【００６７】
次に制御部２０は、複合機１のＳＳＩＤの情報を含む電波を検知し（ステップＳ２０２）、検知した複合機１へデータの送受信のための接続要求を通信部２５から送信する（ステップＳ２０３）。
【００６８】
制御部２０は、無線通信部１５により、複合機１とのデータ送受信のための接続が確立されると、ステップＳ２０１にて選択された画像データと、記憶部２１に記憶してある携帯端末２の固有の識別情報とを含む印刷指示を複合機１へ送信する（ステップＳ２０４）。制御部２０は、印刷指示に設定情報を含めてもよい。
【００６９】
制御部２０は、専有識別コードを入力するための入力画面を表示部２３に表示させ（ステップＳ２０５）、操作部１４にて入力画面への専有識別コードの入力操作を受け付ける（ステップＳ２０６）。制御部２０は、入力された専有識別コードと、携帯端末２自身の固有の識別情報とを複合機１へ送信する（ステップＳ２０７）。
【００７０】
次に制御部２０は、専有接続状態であることを示す状態情報か、又は保留されたことを示す保留情報を受信したか否かを判断する（ステップＳ２０８）。制御部２０は、専有接続状態を示す状態情報を受信したと判断した場合（Ｓ２０８：専有接続）、専有接続状態に設定され、印刷処理が実行される旨を示すメッセージを表示部２３に表示させる（ステップＳ２０９）。更に制御部２０は、料金情報を受信し（ステップＳ２１０）、受信した料金情報に基づき送信済みの画像データの印刷に掛かる料金を表示部２３に表示させる（ステップＳ２１１）。
【００７１】
制御部２０は、複合機１とのデータ送受信のための通信接続が切断されたか否かを判断し（ステップＳ２１２）、切断されていないと判断した場合（Ｓ２１２：ＮＯ）、処理をステップＳ２１２へ戻し、待機する。この間、複合機１にて印刷出力が行なわれる。制御部２０は、通信接続が切断されたと判断した場合（Ｓ２１２：ＹＥＳ）、印刷処理が完了したことを示すメッセージを表示部２３へ表示し（ステップＳ２１３）、処理を終了する。なお、印刷処理の開始、完了の際に複合機１から通知が送信される場合にはこれを受信し、表示部２３に表示してもよい。
【００７２】
制御部２０は、ステップＳ２０８にて保留されたことを示す保留情報を受信したと判断した場合（Ｓ２０８：保留）、印刷指示が保留された旨を示すメッセージを表示部２３に表示させる（ステップＳ２１４）。
【００７３】
次に制御部２０は、他の携帯端末２による専有が解除されたことを示す情報を受信したか否かを判断する（ステップＳ２１５）。制御部２０は、解除を示す情報を受信していないと判断した場合（Ｓ２１５：ＮＯ）、処理をステップＳ２１５へ戻し、解除を示す情報を受信したと判断するまで待機する。制御部２０は、解除を示す情報を受信したと判断した場合（Ｓ２１５：ＹＥＳ）、処理をステップＳ２０５へ戻し、再度、複合機１の表示部１３に表示される専有識別コードの入力画面を、表示部２３に表示させる（Ｓ２０５）。
【００７４】
上述した複合機１及び携帯端末２における処理手順（図４〜図６）を、異なる２人のユーザが夫々の携帯端末２から、ほぼ同時にプリントサービスを利用しようとした場合の各ユーザＡ，Ｂの観点から説明する。
【００７５】
ユーザＡの携帯端末２（以下、説明を明確にするために携帯端末２ａという。）と、ユーザＢの携帯端末２（以下、説明を明確にするために携帯端末２ｂという。）とが、いずれも複合機１の無線通信部１５の有効エリア内に入ったとする。この場合、携帯端末２ａ及び携帯端末２ｂのいずれでも、電波が検知され（Ｓ２０２）、画像を選択する画面が表示される。
【００７６】
図７は、各携帯端末２ａ，２ｂにて表示される画像データを選択する画面例を示す説明図である。図７に示すように、表示部２３にはプリントアプリに基づき、選択操作を指示するメッセージと共に、画像データに基づく各画像のサムネイル（各矩形）が一覧表示され、「ＯＫ」アイコン２３１及び「ＣＡＮＣＥＬ」アイコン２３２が表示されている。サムネイルではなく、画像の名前の一覧でもよい。ユーザが各画像のサムネイル上のタッチパネルに触れ、「ＯＫ」アイコン２３１上のタッチパネルに触れた場合、操作部２４がこれを検知し、制御部２０は選択された画像の画像データの識別情報を取得する。これにより、制御部２０は画像データの選択を受け付けることが可能である。
【００７７】
画像データが選択されると、携帯端末２ａ及び携帯端末２ｂのいずれでも、制御部２０は複合機１からの電波を検知し（Ｓ２０２）、接続要求を送信する（Ｓ２０３）。制御部２０は、データ送受信の通信接続が確立されると、選択された画像データを含む印刷指示を複合機１へ送信し（Ｓ２０４）、入力画面を表示させる（Ｓ２０５）。
【００７８】
図８は、各携帯端末２ａ，２ｂにて表示される専有識別コードの入力画面の例を示す説明図である。図８に示すように、表示部２３にはプリントアプリに基づき、画像データの送信完了を示すメッセージと、専有識別コードの入力を促すメッセージとが表示され、専有識別コードの入力ボックス２３５と、「ＯＫ」アイコン２３６及び「ＣＡＮＣＥＬ」アイコン２３７が表示されている。
【００７９】
この間、複合機１では制御部１０が、いずれの携帯端末２も専有接続状態でも保留中でもないので（Ｓ１０５：ＮＯ、Ｓ１０６：ＮＯ）、表示部１３に専有識別コードが表示されているはずである（Ｓ１０８）。図９は、実施の形態１における複合機１の表示部１３に表示される専有識別コードの表示例を示す説明図である。図９に示すように、制御部１０の制御によって、例えば専有識別コード「１２３４」と、４桁の英数字が表示されている。更に、表示されている専有識別コードを携帯端末２の入力画面に入力しなければプリント（印刷出力）が開始されない旨のメッセージが表示されている。ユーザＡ及びユーザＢは、表示部１３に表示されている図９に示すような専有識別コードを視認しなければ印刷を行なうことができない。つまり、ユーザは専有識別コードを視認できるほど複合機１に近づかなければならない。携帯端末２ａを所持するユーザＡ、及び携帯端末２ｂを所持するユーザＢは、図８に示すような画面を表示部２３に確認した場合、複合機１へ近づき、複合機１の表示部１３に表示される図９に示す画面を確認しようとする。このとき、ユーザＡが先に複合機１の表示部１３の前に立っていた場合、ユーザＢはこれを視認して、先にユーザＡが使用しようとしていることを認識することができる。ユーザＢの携帯端末２ｂからの送信済み画像データについての印刷出力処理は実行されないので、ユーザＡの携帯端末２ａ、及びユーザＢの携帯端末２ｂの双方から送信済み画像データに基づく印刷出力結果、及び課金処理が錯綜することが回避される。
【００８０】
なお、図９に示す専有識別コードは４桁の英数字とした。しかしながら、これに限らず、１〜３桁、又は５桁以上の数字のみ、又は英字のみであってもよい。専有識別コードは、複合機１の近傍に一時的に存在する複数の携帯端末２ａ，２ｂに一時的に確認されればよいから、ランダムな１桁の英数字等でも十分に区別することが可能である。携帯端末固有の識別情報を用いる場合よりも桁数は少なくてもよく、専有識別コードの入力について比較的に煩雑さを感じさせない。
【００８１】
ユーザＡが先に複合機１へ近づき、表示部１３を視認し、専有識別コードを、携帯端末２ａの表示部２３に表示されている入力画面（図８）に入力し、「ＯＫ」アイコン２３６上のタッチパネルに触れたとする。ユーザＡが所持する携帯端末２ａの制御部２０が、専有識別コードを受け付け（Ｓ２０６）、携帯端末２ａの識別情報と共に送信する（Ｓ２０７）。これに対し複合機１の制御部１０は、専有識別コード及び識別情報を受信し（Ｓ１０９：ＹＥＳ）、最初に受信した専有識別コードであると判断し（Ｓ１１０：ＹＥＳ）、携帯端末２ａの識別情報に基づき、専有接続状態を設定し（Ｓ１１１）、専有接続状態を示す状態情報を送信する（Ｓ１１２）。携帯端末２ａの制御部２０は、状態情報を受信して（Ｓ２０８：専有接続）、専有接続状態を示すメッセージを表示部２３に表示させる（Ｓ２０９）。また、複合機１では制御部１０が料金情報を送信し（Ｓ１１４）、携帯端末２ａの制御部２０は料金情報を受信して（Ｓ２１０）、表示部２３に表示させる（Ｓ２１１）。
【００８２】
図１０は、携帯端末２ａの表示部２３に表示される専有接続状態を示すメッセージ及び料金の表示例を示す説明図である。図１０に示すように、専有接続状態となって送信した画像データの印刷出力が行なわれる携帯端末２ａでは、プリントが開始される旨、及び料金が表示されている。複合機１を専有しているユーザＡは図１０に示すような画面例を確認すると、料金受領装置３の料金投入口３１へ硬貨を投入する。これにより、専有接続状態となった携帯端末２ａに掛かる課金処理のみが実行され、課金処理の誤りの発生を防止することができる。
【００８３】
一方の携帯端末２ｂに対しては、携帯端末２ｂから専有識別コードが送信されないので、制御部１０は、Ｓ１０９にて専有識別コードを受信しないと判断し（Ｓ１０９：ＮＯ）、複合機１は他により専有されていると判断し（Ｓ１０５：ＹＥＳ）、保留情報を送信する（Ｓ１２０）。携帯端末２ｂの制御部２０は、保留情報を受信して（Ｓ２０８：保留）、保留された旨を示すメッセージを表示部２３に表示する（Ｓ２１４）。
【００８４】
図１１は、携帯端末２ｂの表示部２３に表示される保留されたことを示すメッセージの表示例を示す説明図である。図１１には、保留されたこと、及び、保留が解除されて使用可能になった場合には専有識別コードの入力画面が再表示されることが示されている。ユーザＢは、表示部２３に図１１に示すような画面例を確認すると、他のユーザＡが複合機１の近くに立って専有していることを認識していなくとも、他のユーザが使用していることを認識することができる。したがって、ユーザＢが、携帯端末２ｂからの画像データに基づく印刷処理が行なわれたと誤認識することはなく、誤って排紙トレイ１８から印刷出力結果を取り出すこともない。
【００８５】
また、ユーザＡの携帯端末２ａからの画像データに基づく印刷処理が完了した場合、ユーザＢの携帯端末２ｂへ、複合機１にて保留が解除されたことが通知されるので、ユーザＢは携帯端末２ｂの表示部２３を確認することで、これを認識することができる。
【００８６】
なお、図７から図１１に示した画面例は、あくまで一例であって、他の画面構成にて実現されてもよいことは勿論である。
【００８７】
（実施の形態２）
実施の形態２では、専有識別コードに有効期間を設ける。実施の形態２におけるプリントサービスシステムの構成は、後述する複合機１における詳細な処理手順以外は、実施の形態１における構成と同様である。したがって、実施の形態１と共通する構成には同一の符号を付し、夫々の詳細な説明を省略する。
【００８８】
図１２及び図１３は、実施の形態２における複合機１にてプリントサービスを実行する際の処理手順の一例を示すフローチャートである。以下に示す処理手順の内、実施の形態１における図４及び図５のフローチャートに示した処理手順と共通する処理手順には、同一のステップ番号を付し、詳細な説明を省略する。
【００８９】
実施の形態２では、制御部１０は、ステップＳ１１３で算出した料金に関し、料金情報を携帯端末２へ送信後（Ｓ１１４）、料金受領装置３が料金を全額受領したか否かを判断する（ステップＳ１３０）。制御部１０は、料金受領装置３が料金を全額受領したと判断した場合（Ｓ１３０：ＹＥＳ）、処理をステップＳ１１６へ進め、印刷処理を実行する。
【００９０】
制御部１０は、全額受領していないと判断した場合（Ｓ１３０：ＮＯ）、料金情報を送信してから所定の第１時間（例えば１分）が経過したか否かを判断する（ステップＳ１３１）。制御部１０は、所定の第１時間が経過していないと判断した場合（Ｓ１３１：ＮＯ）、処理をステップＳ１３０へ戻す。
【００９１】
制御部１０は、全額受領しないまま所定の第１時間が経過したと判断した場合（Ｓ１３１：ＹＥＳ）、料金の支払いを促す警告情報を通信端末２へ送信し（ステップＳ１３２）、更に、警告後に料金受領装置３が料金を全額受領したか否かを判断する（ステップＳ１３３）。
【００９２】
制御部１０は、警告後全額受領したと判断した場合（Ｓ１３３：ＹＥＳ）、処理をステップＳ１１６へ進め、印刷処理を実行する。
【００９３】
制御部１０は、警告後全額受領していないと判断した場合（Ｓ１３３：ＮＯ）、警告情報を送信してから所定の第２時間（例えば３０秒）が経過したか否かを判断する（ステップＳ１３４）。制御部１０は、所定の第２時間が経過していないと判断した場合（Ｓ１３４：ＮＯ）、処理をステップＳ１３３へ戻す。
【００９４】
制御部１０は、所定の第２時間が経過したと判断した場合（Ｓ１３４：ＹＥＳ）、専有に係る一の携帯端末２からの印刷指示を破棄する（ステップＳ１３５）。ステップＳ１３５において制御部１０は、後述するように通信接続を切断（Ｓ１１９）するので、受信してある印刷指示に係る画像データを記憶部１１から除去してよい。そして制御部１０は、携帯端末２へ印刷を実施しないことを通知し（ステップＳ１３６）、専有接続状態を解除し（Ｓ１１８）、通信接続を切断し（Ｓ１１９）、処理を終了する。なお、ステップＳ１３５では、受信した画像データは記憶部１１に保持しておき、再度接続要求を受信した際に、再度受信せずともよいように処理してもよい。
【００９５】
図１４は、実施の形態２における携帯端末２での処理手順の一例を示すフローチャートである。以下に示す処理手順の内、実施の形態１における図６のフローチャートに示した処理手順と共通する処理手順には、同一のステップ番号を付し、詳細な説明を省略する。
【００９６】
図１２及び図１３のフローチャートにおけるステップＳ１３０〜Ｓ１３６の処理に対し携帯端末２では、制御部２０が料金を表示した後（Ｓ２１１）、警告情報を受信したか否かを判断し（ステップＳ２２０）、受信したと判断した場合（Ｓ２２０：ＹＥＳ）、警告を表示部２３に表示させる（ステップＳ２２１）。制御部２０は、警告情報を受信していないと判断した場合（Ｓ２２０：ＮＯ）、処理をステップＳ２１２へ進める。
【００９７】
更に制御部２０は、印刷指示の破棄の通知を受信したか否かを判断し（ステップＳ２２２）、受信したと判断した場合（Ｓ２２２：ＹＥＳ）、印刷が中止されたことを表示部２３に表示し（ステップＳ２２３）、処理を終了する。制御部２０は、警告の表示後、料金が支払われて印刷指示の破棄の通知を受信していないと判断した場合（Ｓ２２２：ＮＯ）、処理をステップＳ２１２へ進め、切断されるまで待機する。
【００９８】
このように、料金が支払われるまで待機している構成であった実施の形態１に対し、実施の形態２では所定の第１時間及び第２時間経過までに料金が支払われなければ、画像処理は実行されず、破棄される。これにより、例えば携帯端末２ａを用いるユーザＡによる専有が長期化し、ユーザＢの待ち時間が長期化することを抑制し、プリントサービスが効率的に利用されることになる。
【００９９】
実施の形態１及び２では、専有識別コードは、表示部１３に表示される英数字からなる情報とした。しかしながら、専有識別コードはこれに限らない。例えば、専有識別コードは二次元バーコードであってもよい。この場合、携帯端末２は専有識別コードの取得手段としてバーコードリーダを備える。ユーザは、バーコードリーダで二次元バーコードを読み取らせる。また、専有識別コードは、ＲＦＩＤ（Radio Frequency Identification）又は無線カードリーダ及びライタ等を用いるＮＦＣ（Near Field Communication）を利用して、携帯端末２が複合機１から取得するようにしてもよい。この場合、複合機１における表示部１３及び操作部１４は必須ではない。
【０１００】
なお、本発明は、通信端末装置２で保有している画像データを複合機１から印刷出力するサービスのみならず、複合機１で原稿をスキャンした画像データを通信端末装置２へ送信するサービスにも適用できる。この場合、携帯端末２のプリントアプリでは、複合機１との通信と、複合機１からの画像データの受信を実現する。複合機１では、図４及び図５のフローチャートにおけるステップＳ１０４をスキャン指示の受信に代替し、ステップＳ１１６及びＳ１１７をスキャン実行に代替すればよい。携帯端末２では、図６のフローチャートにおけるステップＳ２０１の処理は不要となり、ステップＳ２０４をスキャン指示の送信に代替し、ステップＳ２１２の前に画像データの受信が完了するまで受信し続ける処理を追加すればよい。
【０１０１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１０２】
１  複合機（画像処理装置）
１０  制御部
１１  記憶部
１３  表示部
１４  操作部
１５  無線通信部
１６  有線通信部
１７  画像形成部
２  携帯端末（通信装置）
２０  制御部
２１  記憶部
２３  表示部
２４  操作部
２５  通信部
【図１】
0005979981.tif 000002
【図２】
0005979981.tif 000003
【図３】
0005979981.tif 000004
【図４】
0005979981.tif 000005
【図５】
0005979981.tif 000006
【図６】
0005979981.tif 000007
【図７】
0005979981.tif 000008
【図８】
0005979981.tif 000009
【図９】
0005979981.tif 000010
【図１０】
0005979981.tif 000011
【図１１】
0005979981.tif 000012
【図１２】
0005979981.tif 000013
【図１３】
0005979981.tif 000014
【図１４】
0005979981.tif 000015